(57)【要約】      （修正有）【課題】新型コロナウイルス感染拡大防止のために使用し、マスクをした際の顔の形やイメージを気にする使用者がカスタマイズすることができる、不織布様構造を備えたフィルター付きカスタマイズおしゃれマスクを提供する。【解決手段】不織布様構造を備えたフィルター付きカスタマイズおしゃれマスクは、使用者の顔に装着することができるマスクＡに不織布Ｂなどを設けて、アウターカバーＣと一体構造或いは不織布ＢとマスクＡを取り付けや取り外しができる構造によりエアロゾル感染にかかるマスクに関する欠点及び弱点を強化する。【選択図】図６
0003232793.tif 000002
【実用新案登録請求の範囲】
【請求項１】
使用者の顔に装着することができるマスク（Ａ）に不織布（Ｂ）を設けて、アウターカバー（Ｃ）と一体構造或いは（Ｂ）と（Ａ）を取り付けや取り外しができる、おしゃれで安全かつ合理的な構造を特徴とする不織布様構造を備えたフィルター付きカスタマイズおしゃれマスク
【請求項２】
前記、不織布（Ｂ）がナノファイバーによる請求項１記載の不織布様構造を備えたフィルター付きカスタマイズおしゃれマスク
【請求項３】
前記、不織布（Ｂ）がフィルターによる請求項１記載の不織布様構造を備えたフィルター付きカスタマイズおしゃれマスク
【請求項４】
耐薬性であるところを特徴とする請求項１ないし請求項３記載の不織布様構造を備えたフィルター付きカスタマイズおしゃれマスク
【請求項５】
耐薬性でないところを特徴とする請求項１ないし請求項３記載の不織布様構造を備えたフィルター付きカスタマイズおしゃれマスク
【請求項６】
一体型であるところを特徴とする請求項１ないし請求項５記載の不織布様構造を備えたフィルター付きカスタマイズおしゃれマスク
【請求項７】
一体型でないところを特徴とする請求項１ないし請求項５記載の不織布様構造を備えたフィルター付きカスタマイズおしゃれマスク
【考案の詳細な説明】
【技術分野】
【０００１】
本考案は、新型コロナウイルス感染拡大防止に使用するマスクが不織布構造を備えたフィルター付きマスクであって、マスクをした際の顔の形やイメージを気にする使用者がカスタマイズすることができる、不織布様構造を備えたフィルター付きカスタマイズおしゃれマスクに関するものである。
【背景技術】
【０００２】
新型コロナウイルスの感染拡大に伴い普段から使い慣れないマスクを反復して使用することが多くなった。飛沫感染防止に期待できるマスクとして布マスク、不織布マスク、ウレタンマスクなどがある。いずれのマスクも構造に相応する効果が期待される一方、不織布マスクは夏季に使用することが困難であり布マスクやウレタンマスクなどは冬季脆弱であることがコロナ過通年して見いだすことができた。不織布マスクに関しては繊維を織らずに絡み合わせた構造から空気中に漂う微細な粒子のエアロゾル感染防止を得意とするが、そもそもマスクを着用する意味がネガティブだった時期のイメージを維持しつつ、特に若者や美顔には好ましいフォルムでないことから不人気である。布マスクやウレタンマスクなどに関してはデザインの自由度に優れており不織布マスク独特のマスク感を解消しているといえるがエアロゾル感染防止は不織布よりも劣る。夏季は布マスクやウレタンマスクが使いやすく水で「塩抜き」を可能とし、顔の温度を下げる効果も期待できる。しかし冬季は最低でも不織布マスクを着用すべきエビデンスが存在することから夏用と冬用に分けてマスクを検討するしかなかった。
【考案の概要】
【考案が解決しようとする課題】
【０００３】
マスクに関し効果より流行やデザインが重視される傾向があり、夏季に使いやすいマスクを冬季に使用したり冬季に必要なマスクを夏季に使用したりと、所謂衣変えができておらずその場にふさわしくない使途が誤認され危険である。
【０００４】
不織布マスクと布マスクやウレタンマスクなどに関しエアロゾル防止にかかる能力の誤差により、マスクの使用頻度の低下や誤認による場違いの使い方により感染拡大防止に影響しかねない。
【課題を解決するための手段】
【０００５】
本考案はこのような諸事情も含めて考慮してなされたもので、布マスクやウレタンマスクなどマスクそのものに不織布などを装備できる構造を設け、ベースとなるマスクを自由にデザイン選択できるマスクであって、不織布マスクやデザインマスクの良い点を両立して安全かつ合理的な感染防止を実現する。
【０００６】
本考案のマスクを使用することでエアロゾル感染に関し、不適切なマスク使用を軽減することが可能であり合理的なエアロゾル感染防止ができる。おしゃれかつ安全な感性防止対策を促すことができるからエアロゾル感染を発生させにくい。
【０００７】
本考案のマスクを使用することで、おしゃれ感の柱となるデザインを損ねないからマスクを着用しない動向をさらに回避する。
【０００８】
本考案のマスクは産業的に量産可能な素材、部品で構成できるため使用者に対して延滞なく安全かつ安価で提供しようとするものである。
【０００９】
そこで本考案においては、使用者の顔に装着することができるマスク
（Ａ）に不織布など（Ｂ）を設けて、アウターカバー（Ｃ）と一体構造或いは（Ｂ）と（Ａ）を取り付けや取り外しができる構造によりエアロゾル感染にかかるマスクに関する欠点及び弱点を強化しようとするものである。
【考案の効果】
【００１０】
本考案は上述のように構成したから、デザインを損なうことなく安全にエアロゾル感染を軽減することができ、特に若者の感染拡大防止に期待できる。
【図面の簡単な説明】
【００１１】
【図１】既存のデザインマスク（Ａ）のイメージ図
【図２】不織布又はフィルター（Ｂ）の図
【図３】アウターカバー（Ｃ）の図
【図４】不織布又はフィルター（Ｂ）と既存デザインマスク（Ａ）の図
【図５】既存デザインマスク（Ａ）と不織布又はフィルター（Ｂ）の図
【図６】アウターカバー（Ｃ）と不織布又はフィルター（Ｂ）と既存デザインマスク（Ａ）の図
【図７】既存デザインマスク（Ａ）と不織布又はフィルター（Ｂ）とアウターカバー（Ｃ）の図
【考案を実施するための形態】
【００１２】
本考案は布マスクやウレタンマスクなどマスクそのものに不織布などを装備できる構造を設けフレキシブルにデザインを選択できる構造を設けた「不織布様構造を備えたフィルター付きカスタマイズおしゃれマスク」であって、飛沫感染を防止するために特に若者に安全なマスクを心理的かつ合理的な提供を実現する。
【実施例】
【００１３】
本考案の「不織布様構造を備えたフィルター付きカスタマイズおしゃれマスク」は布マスクやウレタンマスクなどに不織布などを備え、フレキシブルにデザインを選択できる構造を設けた「不織布様構造を備えたフィルター付きカスタマイズおしゃれマスク」であって、マスクをする人の心理、特に若者のモチベーションを損ねることなく良好な新しい生活様式を維持し安全かつ合理的なエアロゾル感染防止を期待できるマスクである。
【００１４】
デザインに関し、既存のデザインマスクが人気を集めているから不織布などとのコラボレーションにより実現まで時間を要さず人が認知する速度に影響することなく感染拡大防止する道具として期待できる。
【００１５】
不織布などに関し、例えば医療現場で使用するようなハイグレードの不織布などを使用することにより飛散するエアロゾルを人が大量吸引することはなくなり、布マスクやウレタンマスクを製造する企業の生業を維持しつつ感染拡大防止に努めることが期待できる。
【００１６】
当該マスクに関し、夏季冬季問わずフレキシブルに対応するから所謂衣変えの必要がなく誤認による使用が無くなり各季節においてエアロゾル感染を極力下げることができる。
【００１７】
当該マスクに関し、素材の組み合わせによる構造上の一体化も可能であるから洗濯による反復使用も可能とし消費者が経済的に期待できる。
【００１８】
当該マスクに関し、不織布又はフィルターなどを部分的に交換できるから衛生的かつ安価で安全な飛沫感染予防を実現し、不織布マスクと布マスク及びウレタンマスクなどとの争点が改善できる。
【産業上の利用可能性】
【００１９】
新型肺炎コロナウイルスの感染拡大に伴い飛沫感染予防に効果のある普段から使い慣れないマスクを一般消費者が使用することが多くなった。飛沫感染予防が期待できる不織布類、ナノファイバー類などはいずれもマスクを着用する意味がネガティブだった時期のイメージを維持しつつ、特に若者や美顔には好ましいフォルムでないことから不人気である。一方、布マスクやウレタンマスクなどに関してはデザインの自由度に優れており不織布独特のマスク感を解消しているといえるがエアロゾル感染防止は不織布よりも劣る。双方は、夏季は布マスクやウレタンマスクが使いやすく水で「塩抜き」を可能とし、顔の温度を下げる効果も期待でき、冬季は最低でも不織布マスクを着用すべきエビデンスが存在することから夏用と冬用に分けてマスクを検討するしかなかった。
しかし本考案の「不織布様構造を備えたフィルター付きカスタマイズおしゃれマスク」により今後も続くであろう感染拡大防止活動や新しい生活の習慣に取り入れることが可能。特に若者の心理的操作が簡易であり量産においても既存部品で構成できるため安全かつスピーディーに安価で提供することができる。同時にマスク業界の生業を奪うことなく争点を解消できるから実現すればその需要数は高いと思われ平和的である。
【符号の説明】
【００２０】
（Ａ）既存デザインマスクのイメージ図
（Ｂ）不織布又はフィルターの図
（Ｃ）アウターカバーの図
【図１】
0003232793.tif 000003
【図２】
0003232793.tif 000004
【図３】
0003232793.tif 000005
【図４】
0003232793.tif 000006
【図５】
0003232793.tif 000007
【図６】
0003232793.tif 000008
【図７】
0003232793.tif 000009
【手続補正書】
【提出日】令和3年4月18日(2021.4.18)
【手続補正１】
【補正対象書類名】実用新案登録請求の範囲
【補正対象項目名】全文
【補正方法】変更
【補正の内容】
【実用新案登録請求の範囲】
【請求項１】
使用者の顔に装着することができる不織布以外のマスク（Ａ）の口元に不織布の素材（Ｂ）を設けて、不織布以外のマスク（Ａ）と同じ素材のアウターカバー（Ｃ）と不織布の素材（Ｂ）が一体構造或いは不織布の素材（Ｂ）と不織布以外のマスク（Ａ）を面ファスナーなどで取り付けや取り外しができる、おしゃれで安全かつ合理的な構造を特徴とする不織布様構造を備えたフィルター付きカスタマイズおしゃれマスク
【請求項２】
前記、不織布の素材（Ｂ）がナノファイバーによる請求項１記載の不織布様構造を備えたフィルター付きカスタマイズおしゃれマスク
【請求項３】
前記、不織布の素材（Ｂ）が使い捨て不織布フィルターによる請求項１記載の不織布様構造を備えたフィルター付きカスタマイズおしゃれマスク
【請求項４】
耐薬性であるところを特徴とする請求項１ないし請求項３記載の不織布様構造を備えたフィルター付きカスタマイズおしゃれマスク
【請求項５】
耐薬性でないところを特徴とする請求項１ないし請求項３記載の不織布様構造を備えたフィルター付きカスタマイズおしゃれマスク
【請求項６】
不織布以外のマスク（Ａ）と不織布の素材（Ｂ）と不織布以外のマスク（Ａ）と同じ素材のアウターカバー（Ｃ）が一体型であるところを特徴とする請求項１ないし請求項５記載の不織布様構造を備えたフィルター付きカスタマイズおしゃれマスク
【請求項７】
不織布以外のマスク（Ａ）と不織布の素材（Ｂ）と不織布以外のマスク（Ａ）と同じ素材のアウターカバー（Ｃ）が一体型でないところを特徴とする請求項１ないし請求項５記載の不織布様構造を備えたフィルター付きカスタマイズおしゃれマスク